(57)【特許請求の範囲】
【請求項１】
車椅子に対して酸素ボンベ用のボンベカートを装着するために前記車椅子に対して取り付けられる装着具であって、
第１及び第２のアームを有し、
前記第１及び第２のアームはそれぞれの一端部同士で互いに連結されることにより相対回転可能とされており、
前記第１及び第２のアームは前記ボンベカートを載置するための第１及び第２の載置部であって、前記ボンベカートを載置する状態における上面がそれぞれ平坦面状に形成される第１及び第２の載置部をそれぞれ有し、
前記第１及び第２のアームの一端部とは反対側のそれぞれの他端部が前記車椅子の２本のティッピングバーのそれぞれに対して取り付けられる、装着具。
【請求項２】
前記車椅子は折り畳み可能な構造を有し、
前記第１及び第２のアームを相対回転させることにより、前記第１及び第２のアームの他端部を前記車椅子の２本のティッピングバーのそれぞれに取り付けたままの状態で前記車椅子を折り畳み可能とする、請求項１に記載の装着具。
【請求項３】
前記第１及び第２のアームは、ヒンジにより相対回転自在に互いに連結されている、請求項１又は２に記載の装着具。
【請求項４】
前記第１及び第２のアームの他端部の各々は、前記２本のティッピングバーの各々に対して相対回転可能に取り付けられる円筒パイプ部を有する、請求項１〜３のいずれか一項に記載の装着具。
【請求項５】
請求項１〜４のいずれか一項に記載の装着具を有する、車椅子。
【発明の詳細な説明】
【技術分野】
【０００１】
本発明は、ボンベカート等のカートを含む、医療機器や福祉器具といった機器や器具を、車椅子又は歩行器、歩行車等の歩行補助具に対して装着するための装着具に関するものである。
【背景技術】
【０００２】
従来、特許文献１に記載のような酸素ボンベ立てが知られており、この酸素ボンベ立ては、酸素ボンベの下部を支える下部環状体と、酸素ボンベの上部付近を支える上部環状体とを有し、下部環状体の下側には、酸素ボンベの底を支持する帯状体が設けられている。ユーザは、酸素ボンベを上部環状体側から差し入れ、当該酸素ボンベの底を下部環状体の帯状体に載せて支持させる。そして、酸素ボンベの流量調整器にチューブを介して呼気調整器を取り付け、この呼気調整器から延出するチューブに設けたカニューラを鼻に装着し、酸素の供給を受ける。
【先行技術文献】
【特許文献】
【０００３】
【特許文献１】特開平１１―３３０５７号公報
【発明の概要】
【発明が解決しようとする課題】
【０００４】
ユーザは、歩行時には当該酸素ボンベをボンベカートに収納してこれを牽引する。そのため、車椅子に乗るときはボンベカートから酸素ボンベを取り出し、上記酸素ボンベ立てに装着することが必要であり、大変手間がかかるという問題があった。
【０００５】
そこで、本発明の目的は、ボンベカート等のカートを含む、医療機器や福祉器具といった機器や器具を、車椅子又は歩行器、歩行車等の歩行補助具に対して簡単に装着できる装着具を提供することにある。
【課題を解決するための手段】
【０００６】
本発明者らは前記課題を解決するために鋭意検討を重ねた結果、下記のように本発明の各局面に想到した。
すなわち、第１の局面によれば、車椅子又は歩行補助具に対して機器又は器具を装着するために前記車椅子又は歩行補助具に対して取り付けられる装着具であって、第１及び第２のアームを有し、前記第１及び第２のアームはそれぞれの一端部同士で互いに連結されることにより相対回転可能とされており、前記第１及び第２のアームは前記機器又は器具を載置するための第１及び第２の載置部を有し、前記第１及び第２のアームの一端部とは反対側のそれぞれの他端部が前記車椅子又は歩行補助具に対して取り付けられる。
【０００７】
このような構成とすれば、第１及び第２の２つの載置部によって装着する機器又は器具を支持することができるため、装着時の安定性が向上する。そのため、円筒形状のボンベに限らず、比較的広い面積の底部を有するボンベカートのような器具であっても、載置部に対して載置して車椅子に安定的に装着することができる。そのため例えば、車椅子に乗る際にボンベカートから酸素ボンベを取り出すことなく、車椅子に装着された装着具の載置部上にボンベカートごと載置して、車椅子にボンベカートを装着することができ、利便性が高い。更に、第１及び第２のアームは相対回転可能に連結されるため、装着具の不使用時に装着具を取り外し、折り畳んで保管することができ、省スペースである。
【０００８】
第２の局面によれば、前記車椅子又は歩行補助具は折り畳み可能な構造を有し、前記第１及び第２のアームを相対回転させることにより、前記第１及び第２のアームの他端部を前記車椅子又は歩行補助具に取り付けたままの状態で前記車椅子又は歩行補助具を折り畳み可能とする。このような構成とすれば、車椅子又は歩行補助具を折り畳む度に装着具を取り外す必要がなく、利便性が高い。
【０００９】
第３の局面によれば、前記第１及び第２のアームは、ヒンジにより相対回転自在に互いに連結されている。このような構成により第１及び第２のアームを相対角度可変とすることができる。第４の局面によれば、前記車椅子又は歩行補助具は２本の棒状部材を有し、前記第１及び第２のアームの他端部の各々は、前記２本の棒状部材の各々に対して相対回転可能に取り付けられる円筒パイプ部を有する。このような構成とすれば、第１及び第２のアーム間の相対回転に伴って円筒パイプ部が棒状部材周りを回転することにより、上記したような、車椅子又は歩行補助具に装着具を取り付けたままでそれらを同時に折り畳むことができるという効果を好適に発揮することができる。
【００１０】
第５の局面によれば、前記第１及び第２のアームの他端部の各々は、前記車椅子又は歩行補助具に対して固定される固定部と、該固定部から伸びる棒状部と、該棒状部に対して相対回転可能に取り付けられる円筒パイプ部とを有する。このような構成によっても、第１及び第２のアーム間の相対回転に伴って円筒パイプ部が棒状部周りを回転することにより、上記したような、車椅子又は歩行補助具に装着具を取り付けたままでそれらを同時の折り畳むことができるという効果を好適に発揮することができる。
【００１１】
第６の局面によれば、前記第１及び第２の載置部はフック形状に形成されたフック部をそれぞれ有する。このような構成によれば、ボンベカート等、車軸を有する機器や器具の車軸をフック部に係止することで、当該機器や器具を載置部に載置して車椅子等に装着することができる。また、車軸を有するものに限らず、フック部に係止できる形状を有する機器や器具（四点支持杖、松葉杖等の福祉器具、その他）であれば、フック部に係止することで載置部に載置し、車椅子等に装着することができる。
【００１２】
第７の局面によれば、前記第１及び第２の載置部は使用状態における上面がそれぞれ平坦面状に形成されている。このような構成によれば、載置部の平坦な面の上にボンベカートの底面を載置したり、ボンベそのものの底面を載置したりすることができる。その他にも四点支持杖、松葉杖等の福祉用具、酸素供給装置等の医療機器自体といった各種機器や器具を載置部に対して直接載置することが可能となり、これにより当該機器や器具を車椅子又は歩行補助具に対して装着することが可能となる。
【図面の簡単な説明】
【００１３】
【図１】図１は、本発明の第１実施形態による装着具を示す斜視図である。
【図２】図２は、第１実施形態による装着具の閉じた状態を示す斜視図である。
【図３】図３は、第１実施形態による装着具の一部を拡大して示す部分拡大図である。
【図４】図４は、第１実施形態による装着具を取り付ける対象の一例としての車椅子を示す斜視図である。
【図５】図５は、第１実施形態による装着具を図４の車椅子に対して取り付ける方法を示す説明図である。
【図６】図６は、第１実施形態による装着具を図４の車椅子に対して取り付けた状態を示す概略図である。
【図７】図７は、装着具により装着される器具の一例としてのボンベカートを示す説明図である。
【図８】図８は、第１実施形態による装着具を用いて図７のボンベカートを図４の車椅子に対して装着した状態を示す説明図である。
【図９】図９は、図７のボンベカートの車軸を第１実施形態による装着具のフック部に対して係止する方法を示す説明図である。
【図１０】図１０は、本発明の第２実施形態による装着具を示す斜視図である。
【図１１】図１１は、第２実施形態による装着具の載置部を示す図であり、図１１（Ａ）は正面図、図１１（Ｂ）は図１１（Ａ）中のＸＩＢ方向から見た側面図である。
【図１２】図１２は、第２実施形態の第１の変形例による装着具の載置部を示す図であり、図１２（Ａ）は正面図、図１２（Ｂ）は図１２（Ａ）中のＸＩＩＢ方向から見た側面図である。
【図１３】図１３は、第２実施形態の第２の変形例による装着具の載置部を示す図であり、図１３（Ａ）は正面図、図１３（Ｂ）及び図１３（Ｃ）は図１３（Ａ）中の一点鎖線ＸＩＩＩＢＣにおける断面（２つのパターン）を示す部分断面図である。
【図１４】図１４は、第１実施形態及び第２実施形態の共通の変形例による装着具の円筒脚部の一部及び固定器具を示す斜視図である。
【発明を実施するための形態】
【００１４】
（第１実施形態）
図１は、本発明の第１実施形態による装着具１００を示す斜視図である。装着具１００は、主として金属あるいは強化プラスチックなどの高剛性材料からなる。装着具１００は、第１及び第２のアーム１０１、１０２と、これらとは別個に設けられた２つの円筒状の固定器具７、８とからなる。第１及び第２のアーム１０１、１０２はそれぞれ、長形平板状部材である第１及び第２のコアプレート１、２の両面に対して、２つの載置部３、４と、２つの円筒脚部５、６とをそれぞれ取り付けてなる。アーム１０１、１０２はそれぞれのコアプレート１、２の連結側端部１ａ、２ａにおいてヒンジ９により互いに連結されることにより、相対回転可能とされている。ヒンジ９は１本のピン９ａ及び２枚の平板状部材９ｂとからなり、２枚の平板状部材９ｂはコアプレート１の連結側端部１ａに対して、その両面から挟み込むようにしてボルト等の固定手段により固定されている。コアプレート２の連結側端部２ａはヒンジ９の２枚の平板状部材９ｂの間に緩く挟まれており、ピン９ａが２枚の平板状部材９ｂとそれらに挟まれたコアプレート２の連結側端部２ａとを貫通している。ピン９ａは２枚の平板状部材９ｂに対して固定され、コアプレート２の連結側端部２ａはピン９ａを中心に回転自在とされている。
【００１５】
このようにアーム１０１、１０２はピン９ａを中心として相対回転可能とされているが、コアプレート２の連結側端部２ａの先端に設けられた突起２ｃの形状と、突起２ｃが接触するコアプレート１の連結側端部１ａの形状によりアーム１０１、１０２の間で取り得る最大開き角度が規定されている。ただし、突起２ｃを省略して、コアプレート１、２の連結側端部１ａ、２ａの形状により最大開き角度を規定しても良い。図１は、アーム１０１、１０２間の角度が最大開き角度となった場合の装着具１００を示している。図２は、アーム１０１、１０２が閉じられた場合の装着具１００を示している。
【００１６】
本実施形態による装着具１００の各部材について更に詳述する。図１に示すように、載置部３、４はそれぞれフック部３ａ、４ａ、中間部３ｂ、４ｂ、及び基部３ｃ、４ｃを有している。中間部３ｂ、４ｂはそれぞれのフック部３ａ、４ａと基部３ｃ、４ｃとを繋ぎ、一体化するものである。このような構造により、基部３ｃ、４ｃがコアプレート１、２に対してそれぞれボルト等の固定手段により固定されると、フック部３ａ、４ａがそれぞれコアプレート１、２に対して固定されることとなる。なお、装着具１００の使用状態において、図１に示す最大開き角度の場合に、フック部３ａ、４ａのフック形状が上向きになるように載置部３、４は構成され、かつコアプレート１、２に対して取り付けられる。図中では中間部３ｂ、４ｂは平板状となっているがこれに限定されず、例えば棒状としても良い。
【００１７】
円筒脚部５、６はそれぞれ円筒パイプ部５ａ、６ａと平板部５ｂ、６ｂとからなる。平板部５ｂ、６ｂは円筒パイプ部５ａ、６ａ外周面の中腹付近から、円筒パイプ部５ａ、６ａの軸方向と垂直に延伸するように設けられている。図３は円筒脚部５がコアプレート１に対して固定された状態を拡大して示すものである。円筒脚部５、６の構造やコアプレート１、２への固定方法は、円筒脚部５、６間で左右対称であるので、ここでは円筒脚部５を例に説明する。図３に示すように、円筒脚部５の平板部５ｂには、その長手方向に延び、かつ直列に並ぶ２つの長穴１１が設けられている。この長穴１１にそれぞれボルト１２が通され、このボルト１２と、コアプレート１に設けられたタップ穴またはコアプレート１の一側面上に設置されたナットによる螺子止めにより、円筒脚部５の平板部５ｂがコアプレート１の連結側端部１ａと長手方向反対側の取付け側端部１ｂに対して固定される。長穴１１に対するボルト１２の固定位置を図３の左右方向において変更することにより、コアプレート１と円筒脚部５との位置関係を調節することができる。このことにより、ヒンジ９のピン９ａから、円筒脚部５の円筒パイプ部５ａまで（例えば、円筒パイプ部５ａの軸心まで）の長さを所定範囲内で調整することができる。円筒脚部６も同様の構造を有しており、その平板部６ｂがコアプレート２の取付け側端部２ｂに対して同様の方法により固定される。そのため、装着具１００の全体の長さ、あるいは最大開き角度における円筒パイプ部５ａ、６ａ間の距離（例えば、円筒パイプ部５ａ、６ａのそれぞれの軸心間の距離）を所定範囲内で調整することができる。
【００１８】
次に、この装着具１００の使用方法について説明する。図４は、本実施形態の装着具１００を取り付ける車椅子又は歩行補助具の一例として、一般的な車椅子２００を、斜め前方から見た様子を概略的に示したものである。図４に示す車椅子２００は、一対の車輪２０と一対の自在輪２１との合計四輪を有する。また、ベースパイプ２２、アームパイプ２３及びバックレストパイプ２４を一体化したフレームを左右一ずつ有しており、これらのフレームの間にクロスパイプ２５を渡すことにより、車椅子２００全体をその左右方向に折り畳み可能とした構造を有する。バックレストパイプ２４の上端にはそれぞれグリップ２６が設けられている。左右のアームパイプ２３とバックレストパイプ２４との間には、折り畳み可能な材質からなる座シート２７、背シート２８及び背バンド２９が渡されている。各ベースパイプ２２の前方端部付近にはフットプレート３０が接続されている。各車輪２０にはハンドリム３１が同心円状に取り付けられている。
【００１９】
車椅子２００は不使用時には折り畳んで保管され、使用時には車椅子２００の左右のフレームを可動限界まで開いて座シート２７、背シート２８及び背バンド２９を広げる。車椅子２００への着座時には、ユーザは座シート２７に座って背シート２８と背バンド２９にもたれ、フットプレート３０に足をのせる。ユーザは車輪２０のハンドリム３１を用いて車椅子２００を動かすことができる。介助者がいる場合は、介護者がグリップ２６を握って車椅子２００を押す事で車椅子２００を動かすことができる。段差を越える際には、ユーザが前方へ倒れることを防止するため、各バックレストパイプ２４の下端部付近から車椅子後方に伸びたティッピングバー２０１（図５参照）を介護者が踏んで自在輪２１を少し持ち上げて段差を越えるようにする。
【００２０】
図５は、車椅子２００に対して装着具１００を取り付ける方法を表したものである。装着具１００を取り付けていない時には、装着具１００を折り畳んだ状態（つまりアーム１０１、１０２間を閉じた状態）で車椅子２００やその他の場所に保管しておくことができる。装着具１００を車椅子２００に対して取り付けるには、まずアーム１０１、１０２を開き、各円筒脚部５、６の円筒パイプ部５ａ、５ｂを左右のティッピングバー２０１に嵌挿する。円筒パイプ部５ａ、５ｂの内周と左右のティッピングバー２０１の外周との間には所定のクリアランスがそれぞれ設けられ、円筒パイプ部５ａ、５ｂのそれぞれと各ティッピングバー２０１との間で相対回転が許容されるようになっている。
【００２１】
更に固定器具７、８を左右のティッピングバー２０１に対して嵌挿する。そして、固定器具７、８のねじ１０（図１参照。図５では図示省略）を締め付けることにより、固定器具７、８を左右のティッピングバー２０１に対して固定する。こうして装着具１００をティッピングバー２０１に対して取り付けることができる（図６参照）。なお、固定器具７、８を固定する際には、各円筒パイプ部５ａ、６ａと各固定器具７、８との間に若干の隙間を残して、各円筒パイプ部５ａ、６ａがティッピングバー２０１周りを自由に回転できるようにすることが望ましい。あるいは、装着具１００を取り付けたあとのぐらつきを防止するため、各円筒パイプ部５ａ、６ａを各ティッピングバー２０１の根本の方向へ極弱い力（つまり円筒パイプ部５ａ、６ａの回転を確保できる程度の力）で押し付けつつねじ１０を締め付けて固定器具７、８を固定しても良い。
【００２２】
このように装着具１００を車椅子２００に固定した後、所望の機器又は器具を、装着具１００を介して車椅子２００に対して装着する。ここでは、装着する対象を図７に示すボンベカート４０として説明する。図７の例のボンベカート４０は、酸素ボンベを収納するバッグ４４を矩形枠状のフレーム４１に取り付けた構造を有しており、フレーム４１はその下端部に車軸４２及び車輪４３を有している。フレーム４１の上端部はハンドル４５となる。ボンベカート４０を車椅子２００に装着するには、まずボンベカート４０の車軸部分４２を装着具１００の載置部３、４のフック部３ａ、４ａに係止する（図９参照）。
【００２３】
続いて、ボンベカート４０の車軸４２をフック部３ａ、４ａに係止した状態で、ボンベカート４０の上部を車椅子２００のバックレストパイプ２４又は背バンド２９に対して固定する（図８参照）。バックレストパイプ２４又は背バンド２９に対する固定は、ボンベカート４０のフレーム４１に設けた面ファスナー等の固定バンド４６によりフレーム４１を固定して行う。固定バンド４６はフレーム４１に取り付けられるものに限らず、別体のものとしても良い。ユーザは、このように装着具１００を介してボンベカート４０を車椅子２００に装着することで、バッグ４４内に収容された酸素ボンベに接続されたカニューラを鼻に装着し、車椅子２００に座った状態で酸素の供給を受けることができる。
【００２４】
次に、車椅子２００の不使用時に車椅子２００を折り畳む場合について説明する。車椅子２００を折り畳む場合、まずボンベカート４０を車椅子２００から取り外す。具体的には、固定バンド４６をバックレストパイプ２４又は背バンド２９から外し、ボンベカート４０を持ち上げて車軸４２をフック部３ａ、４ａから取り外す。そして、車椅子２００を左右方向に折り畳む。このとき、左右のティッピングバー２０１の間隔が狭くなるに従い、円筒パイプ部５ａ、６ａが各ティッピングバー２０１に対して相対回転すると共にアーム１０１、１０２がピン９ａを中心に折り畳まれる。こうして、車椅子２００が折り畳まれる動作に従って装着具１００も折り畳まれる。このように、本発明による装着具１００は、車椅子２００に取り付けたままの状態で、車椅子２００と共に折り畳むことが可能である。あるいは、車椅子２００を折り畳む際やボンベカート４０を使用しない場合に、固定器具７、８をティッピングバー２０１から取り外して装着具１００を車椅子２００から取り外しておいてもよい。
【００２５】
以上、本発明の装着具１００によれば、酸素ボンベをボンベカート４０から取り出すことなく、ボンベカート４０ごと車椅子２００に装着できるので、車椅子２００の乗車の際の手間が大幅に削減される。また、装着具１００を取り付けたままの状態でも車椅子２００を折り畳むことができるので、利便性が高い。
なお、ボンベカート４０は、酸素ボンベの他、点滴供給装置、インシュリン等の薬剤投与装置、栄養補給装置等の医療機器を収納したカートやバッグ等であっても良い。カートには、酸素供給装置等の医療機器自体に車輪を設けたものなども含まれる。また、車輪を有するものに限らず、装着部３、４のフック部３ａ、４ａに係止可能な形状を有する四点支持杖、松葉杖等の福祉用具等も、当該形状部分をフック部３ａ、４ａに係止することで、装着具１００を介した車椅子等への装着が可能である。
【００２６】
（第２実施形態）
次に、本発明の第２実施形態について、図１０及び図１１を参照しながら説明する。図１０は第２実施形態による装着具３００を表す斜視図である。図１の装着具１００がフック形状の載置部３、４を有していたところ、図１０に示す装着具３００は、上面が平坦な載置部３０１、３０２を有している点で異なる。それ以外は同一である。
図１１（Ａ）は、図１０の載置部３０１を図中の矢印ＸＩＡに沿って見た状態を表す正面図である。図１１（Ｂ）は図１１（Ａ）の載置部３０１を矢印ＸＩＢの方向に見た側面図である。載置部３０１は、金属または強化プラスチック等の高剛性材料からなる平坦な板状の載置板部３０１ａ、中間部３０１ｂ、及び基部３０１ｃを有する。載置板部３０１ａ、中間部３０１ｂ、及び基部３０１ｃは溶接や接着等の方法により一体化されている。基部３０１ｃがコアプレート１に対して固定される点については第１実施形態と同様である。装着具３００が車椅子又は歩行補助具に取り付けられ使用される状態において、載置板部３０１ａの上面がほぼ水平になるように各部は構成されている。なお、コアプレート２に装着される載置部３０２の形状は載置部３０１と左右対称であり、詳細な説明を省略する。
【００２７】
このような載置部３０１、３０２を有する装着具３００はその使用状態において、図１０に示すように載置部３０１、３０２の平坦上面が一つの平面をなすため、その上にボンベカートの底面を載置したり、ボンベそのものの底面を載置したりすることができる。すなわち、車軸を有するカートや器具に加え、車軸を有さないボンベ、四点支持杖、松葉杖等の福祉用具、酸素供給装置等の医療機器自体といった各種の機器や器具を載置部上に直接載置することが可能となり、これにより車椅子又は歩行補助具に対して各種の機器や器具を装着することが可能となる。
【００２８】
（変形例）
第２実施形態の変形例として、載置部３０１に対して器具をより安定的に載置するための手段を有する例を、図１２及び図１３に示す。すなわち、図１２に示す載置部３０１は、その載置板部３０１ａの上面に一体的に設けられ上方向へ突出する雄螺子部３０１ｄを有する。図１２（Ａ）は載置部３０１の正面図、図１２（Ｂ）は図１２（Ａ）中の矢印ＸＩＩＢの方向に見た状態を表す載置部３０１の側面図である。図１３に示す載置部３０１は、載置板部３０１ａの下面に一体的に設けられ下方向へ突出する雌螺子部３０１ｅを有する。図１３（Ａ）は載置部３０１の正面図、図１３（Ｂ）は図１３（Ａ）の載置部３０１の載置板部３０１ａ及び雌螺子部３０１ｅの、一点鎖線ＸＩＩＩＢＣにおける断面を表す部分断面図である。図１３（Ｂ）においては載置板部３０１ａと、内周面に雌螺子を有する雌螺子部３０１ｅとを別体として設けてこれらを一体化しているが、図１３（Ｃ）のように、載置板部３０１ａと雌螺子部３０１ｅとを予め一体的に設けて、その両方を貫通する雌螺子穴を設けても良い。
【００２９】
雄螺子部３０１ｄまたは雌螺子部３０１ｅと、載置される機器等の側の雌螺子または雄螺子とを締結することにより、載置された機器等の安定性をより高めることが可能となる。あるいは、載置される機器等とは別体の固定具の雌螺子または雄螺子と雄螺子部３０１ｄまたは雌螺子部３０１ｅとを締結することにより、載置された機器等を固定具により固定しても良い。雄螺子部３０１ｄまたは雌螺子部３０１ｅの個数、位置、形状は、相手側の雌螺子または雄螺子の個数、位置、形状に応じて設定することができる。載置板部３０１ａの形状も、載置する機器や器具の形状に応じて任意に設定することができる。
【００３０】
図１４は、上記の第１実施形態及び第２実施形態による装着具１００、３００に共通する変形例による構成の一部を示すものである。すなわち、本変形例においては、上記第１及び第２実施形態の装着具１００、３００の円筒脚部５、６及び固定器具７、８が変更されている。本変形例による装着具は、ティッピングバーを有しない車椅子や歩行器、歩行車等の歩行補助具に対しても装着可能とすることを意図している。本変形例の装着具は、上記実施形態の円筒脚部５及び固定器具７に代えて、円筒脚部１０５及び固定器具１０７を有する。なお、上記実施形態の円筒脚部６及び固定器具８に対応する部材については、円筒脚部１０５及び固定器具１０７と左右対称または同一の形状であるため説明を割愛する。
【００３１】
本変形例の円筒脚部１０５は、円筒パイプ部１０５ａ及び平板部１０５ｂからなる。上記の実施形態と同様、平板部１０５ｂは円筒パイプ部１０５ａ外周面の中腹付近から、円筒パイプ部１０５ａの軸方向と垂直に延伸するように設けられている。また、平板部１０５ｂが長穴１１１を有することにより長さ調整機能を奏することについても上記の実施形態と同様である。
本変形例の固定器具１０７は、２枚の板部材からなる万力の形状を有する万力部１０７ａと、万力部１０７ａの一方の板部材から伸びる棒部１０７ｂとを有している。万力部１０７ａを構成する２枚の板部材には円筒状パイプの形状に沿う断面円弧状溝が向かい合うように形成されている。当該溝の部分で車椅子２００のバックレストパイプ２４を挟み込んで、２枚の板部材同士をボルト等で締め付けることにより、円筒脚部１０７をバックレストパイプ２４に対して固定することができる。
【００３２】
棒部１０７ｂは、一方の板部材の面のうち、溝が形成された面とは反対側の面から伸びている。そして、円筒脚部１０５の円筒パイプ部１０５ａが棒部１０７ｂの外周に対して嵌挿される。円筒パイプ部１０５ａは棒部１０７ｂ周りに相対回転可能とされている。一方、棒部１０７ｂと円筒パイプ部１０５ａとの間での、棒部１０７ｂの軸方向における相対変位については、所定範囲内での変位に規制されているか、あるいは、ほぼ不可能であるように構成されている。このように、万力状の形状を有する固定器具１０７を採用する事により、ティッピングバーのない車椅子や歩行器、歩行車等の歩行補助具に対しても装着具を取り付けることが可能となる。この場合であっても、円筒パイプ部１０５ａと棒部１０７ｂとが相対回転可能となっているため、装着具を折り畳み可能な車椅子又は歩行補助具に取り付けたままの状態で、装着具と車椅子又は歩行補助具とを同時に折り畳むことができる。
【００３３】
上記説明においては、ピン９ａを有するヒンジ９を用いてアーム１０１、１０２を相対回転可能に連結した。しかしながら、アーム１０１、１０２を連結する部材としては上記したようなヒンジ９に限らず、インテグラルヒンジやジャバラ等の屈曲可能部材といったように、アーム１０１、１０２を相対回転可能に連結でき、かつ載置部上に載置対象を載置して保持できる程度の強度を有するものであれば、どのような部材でも良い。
【００３４】
上記の説明においては、車椅子又は歩行補助具の一例としての車椅子２００は折り畳み可能な構造を有するものとして説明したが、本発明はこれに限定されない。すなわち、折り畳み機構を有しない車椅子又は歩行補助具に対して装着具１００、３００を取り付ける場合であっても、コアプレート１、２と円筒脚部５、６間の固定位置を調整することにより、ティッピングバー間の距離や、バックレストパイプ間の距離に合わせて装着具１００、３００の取付け幅を調節することができるという効果を奏する。
【符号の説明】
【００３５】
１、２  コアプレート
３、４、３０１、３０２  載置部
５、６、１０５  円筒脚部
７、８、１０７  固定器具
９  ヒンジ
２４  バックレストパイプ
４０  ボンベカート
１００、３００  装着具
１０１、１０２  アーム
２００  車椅子
２０１  ティッピングバー
【図１】
0005636010.tif 000002
【図２】
0005636010.tif 000003
【図３】
0005636010.tif 000004
【図４】
0005636010.tif 000005
【図５】
0005636010.tif 000006
【図６】
0005636010.tif 000007
【図７】
0005636010.tif 000008
【図８】
0005636010.tif 000009
【図９】
0005636010.tif 000010
【図１０】
0005636010.tif 000011
【図１１】
0005636010.tif 000012
【図１２】
0005636010.tif 000013
【図１３】
0005636010.tif 000014
【図１４】
0005636010.tif 000015